(57)【要約】接続スリーブ（２０）と、投与開口部（３１）と、前記接続スリーブ（２０）を投与開口部に接続するダクト（１２３）と、そして、押下面（１１）とを有するディスペンサヘッドである。当該ヘッドはさらに、少なくとも一部が前記ダクト（１２３）内に収容され、スプリング手段（４７）によって前記投与開口部（３１）の方向に弾性的に力を加えられたシャッター（４）を有する。前記シャッター（４）は、弾性的な耐漏洩様態で投与開口部（３１）に接して機密密閉の形で閉じる接触ゾーン（４１）を有する。さらに、前記シャッターは、スプリング手段に逆らう形で軸方向に移動させることが可能であり、その移動様態は、接触ゾーンを投与開口部から引き離し、それによって、流体用の出口通路を形成するというものである。また、シャッターは、スプリング手段から弾性的に力を加えられて固定支持ゾーン（３４）に接する、という受け台ゾーン（４４０）を少なくとも１つ有している。
2005528192.tif 000002
【特許請求の範囲】
【請求項１】
流体ディスペンサ部材の移動可能な中空アクチュエータ兼送出ロッドに装着されるように設計されたディスペンサヘッドであって、
前記ヘッドは、前記移動可能なロッドに嵌まるように設計された接続スリーブ（２０）と、ディスペンサ開口部（３１）が形作られたヘッドと、前記接続スリーブ（２０）をディスペンサ開口部に接続するダクト（１２３）と、そして、押下面（１１）とを有し、当該押下面を押し込めば、中空ロッドをディスペンサ部材に押し入れる形で、ヘッドを軸方向に移動させることができ、
ヘッドは更にシャッター（４）を有し、当該シャッターは少なくとも部分的には前記ダクト（１２３）内に収容され、スプリング手段（４７）によって、前記ディスペンサ開口部（３１）の方向に、弾性的な形で力を加えられており、
前記シャッター（４）は接触ゾーン（４１）を有し、当該接触ゾーンは、弾性的な耐漏洩様態でディスペンサ開口部（３１）に接することで、当該開口部を密封状態で閉じ、
前記シャッターは、スプリング手段に逆らう形で軸方向に移動させることが可能であり、その移動様態は、ディスペンサ開口部から接触ゾーンを引き離し、それによって、充分な圧力が押下面に加えられたタイミングで流体のための出口通路が開けられる、というものであり、
特徴となるのは、
シャッターが少なくとも１つの受け止めゾーン（４４０）を有し、当該受け止めゾーンはスプリング手段から弾性的に力を加えられて固定支持ゾーン（３４）に押し付けられ、それによって、当該受け止めゾーンがスプリング手段によって生成される背分圧の一部を受け取って、結果、接触ゾーンは一定の限定された力を受けながらディスペンサ開口部に接する状態になる、という点である、
というディスペンサヘッド。
【請求項２】
受け止めゾーンは、シャッターの移動軸を中心にして対称関係となるように配置された複数の平らな受け面（４４０）を有し、当該受け面（４４０）は、関連する平らな支持面（３４）に接する状態となること、
を特徴とする請求項１に記載のディスペンサヘッド。
【請求項３】
シャッター（４）は、肩（４４）に接続されたプランジャーピン（４０）を有し、
当該プランジャーピンには自由端が形作られており、当該自由端は、選択的にディスペンサ開口部（３１）を閉じるように設計された接触ゾーン（４１）を形成しており、
肩（４４）には支持ゾーン（３４）が形作られていること、
を特徴とする請求項１又は２に記載のディスペンサヘッド。
【請求項４】
プランジャーピン（４０）は、支持ゾーン（３４）が規定された入口端部とディスペンサ開口部（３１）が規定された出口端部とを有するダクトの出口部分（３２）の内部に延びていること、
を特徴とする請求項３に記載のディスペンサヘッド。
【請求項５】
出口部分（３２）はガイドスプライン（３５）を備える形で形成されており、当該ガイドスプラインは、シャッターの移動軸上にプランジャーピン（４０）を保持するために、径方向内向きに突き出していること、
を特徴とする請求項３に記載のディスペンサヘッド。
【請求項６】
本体（１）と、当該本体に密閉様態で接続されたディスペンサエンドピース（３）とを有し、
当該エンドピース（３）にはダクト（３２）とディスペンサ開口部（３１）とが形成されていること、
を特徴とする請求項１乃至５のいずれかに記載のディスペンサヘッド。
【請求項７】
ディスペンサヘッドは、充分な圧力が押下面に加えられた時点で、シャッターとかみ合う状態になって当該シャッターを動かすように設計された移動カム（２４）を更に有し、
前記カムは、拡大カム（１５）とかみ合う状態となってシャッターの移動を大きくするように設計されていること、
を特徴とする請求項１乃至６のいずれかに記載のディスペンサヘッド。
【請求項８】
接続スリーブ（２０）は、移動カム（２４）と一体化された単一の部分として作られており、拡大カムは押下面（１１）に固定されていること、
を特徴とする請求項７に記載のディスペンサヘッド。
【請求項９】
スプリング手段（４７）は、弾性変形可能なループ（４６，４７）の形で、シャッター（４）と一体化した単一の部分として作られていること、
を特徴とする請求項１乃至８のいずれかに記載のディスペンサヘッド。
【請求項１０】
ディスペンサ開口部（３１）および接触ゾーン（４１）のうち少なくとも一方は円錐台形状を示すこと、
を特徴とする請求項１乃至９のいずれかに記載のディスペンサヘッド。
【発明の詳細な説明】
【技術分野】
【０００１】
本発明は、移動可能な中空の駆動ロッドに設置されるように設計されたディスペンサヘッドに関する。前記ロッドは、ポンプまたは弁などの流体ディスペンサ部材の出口に設置される送出チャネルとして働く。従来のポンプまたは弁に関する設計には中空の駆動ロッドが見られるが、これは、圧力を受けた流体がディスペンサヘッドに送出される際の通り道となるものである。通常、ディスペンサヘッドは、移動可能な駆動ロッドの開いた自由端部に嵌まるように設計された接続スリーブを有する。このような構成でのヘッドには、内部ダクトを介して接続スリーブに接続されるディスペンサ開口部も形作られている。それに加えて、ディスペンサヘッドには押下面が設けられている。当該押下面を１本又は複数本の指で圧迫することで、軸方向にヘッドを移動させ、それに伴って中空の駆動ロッドをディスペンサ部材の中に移動させることができる。
【背景技術】
【０００２】
本発明は、さらに具体的に言えば、シャッター（すなわちディスペンサ開口部を閉じることのできる装置）が組み込まれている種類のディスペンサヘッドに関する。こうしたものでは、ヘッド内に格納された流体は完全に外部から隔絶されており、そのため、酸化や乾燥によって損なわれる事態は起こりえない。その定義のとおり、シャッターは、流体がヘッドから外に投与される場所となるディスペンサ部材を閉じるものである。ただし、シャッターをもう少し上流の位置（すなわち、ディスペンサヘッドの中）に配置することも可能であり、その場合もまた、装置がシャッターを構成する形となる。
【０００３】
従来の様態では、そうした種類のシャッターは、少なくとも部分的には、ディスペンサ部材を接続スリーブに接続するダクトの内部に位置している。それに加えて、シャッターは、スプリング手段によって、ディスペンサ開口部の方向に弾性的に力を加えられていることが多い。理解しておくべき点は、こうした構成におけるシャッターは、ディスペンサヘッド内に配置される内部シャッターであり、当該シャッターをより深くディスペンサヘッド内に引き込むことによってディスペンサ開口部が開けられる、ということである。
【０００４】
特許公報：ＦＲ−２ ６５４ ０７９号には、こうしたシャッターが組み込まれたディスペンサヘッドが記述されている。当該文書において、シャッターは、ディスペンサヘッドの内部に収容されて、押下面の下の位置にある。そして、押下面を押さえることでディスペンサ部材を駆動することができる。シャッターは、その両端のうち一方に、選択的にディスペンサ開口部と耐漏洩接触の状態に入るように設計されたプランジャーピンを有する。また、シャッターの反対側の端部には、弾性変形可能なストリップの形でスプリング手段が形作られており、当該スプリング手段はディスペンサヘッドの本体に接する形となっている。さらには、座面に固定されたカムの形で、シャッター移動手段が設けられている。こうした構成における座面は、弾性変形可能なものとされ、それによって、シャッター越しにカムを押し下げることが可能となる。従って、シャッターは駆動ウィンドウを形成していることになる。このようにしてカムを下げることで、すなわち、押下面を下方向に押すことで、シャッターはディスペンサヘッドの内部に向かって移動させられ、その際、弾性ストリップは変形させられる。この移動によって、プランジャーピンはディスペンサ開口部から引っ込められ、それにより、圧力を受けた流体のための出口通路が開かれる。
【０００５】
当該仏語文書におけるディスペンサヘッドでは、上で述べたように、シャッターがカムによって移動させられることで、ディスペンサ開口部が開く。ただし、シャッターを移動させる手段については、これ以外にも考えられる。たとえば、スライド移動する形でチャンバ内部に収容されるピストンをシャッターに形成する、という形が可能である。このような構成では、圧力を受けた流体がチャンバ内に到達した時点で、ピストンは押し戻され、スプリング手段に逆らう形でスライドする。そして、それによってプランジャーピンはディスペンサ開口部から引っ込められる。シャッターを移動させる手段には様々なものが可能であることが分かるであろう。いずれにしても、本発明に特に関わるのは、スプリング手段から弾性的に力が加わるプランジャーピンを有するシャッターである。
【０００６】
弾性的に力を加えられた状態のシャッターを有するディスペンサヘッドでは、スプリング手段がプランジャーピンをディスペンサ開口部に押し込むのに用いる力の制御が非常に難しい。当然、この力はスプリング手段の固有剛性に比例するが、同時に、ディスペンサヘッドの内部における位置にも比例する。さらに、摩擦力も、圧力に対して影響する。その種のシャッターに関する主要な問題点は、時に、プランジャーピンがディスペンサ開口部内であまりに奥まで押し込まれて、その結果、ピンが開口部内に詰まった状態になってしまう、という点にある。そうなると、もはやディスペンサヘッドは使用できず、それに伴って、ディスペンサ部材（ポンプまたは弁）も使用できなくなる。さらに、プランジャーピンがディスペンサ開口部内で文字通りに詰まった状態にまではなっていない場合でも、シャッターが一時的に動かなくなり、その後、ディスペンサヘッドの押下面が激しく押し下げられた時点で、急激に動き始める、という事態は起こりうる。すると、その結果として、期待されていたのとは反対に、激しい又は爆発的な様態で流体が投与されることになる。言うまでもなく、これらの問題点は全て、スプリング手段からディスペンサ開口部に加わる背分圧に対する支配又は制御力の欠如に関連している。
【発明の開示】
【発明が解決しようとする課題】
【０００７】
そこで、本発明は、従来技術に関する上記問題点を解消（あるいは、少なくとも軽減）することのできるディスペンサヘッド、すなわち、弾性的に力を加えられた状態のシャッターが、制御された一定の様態でディスペンサ開口部に接し、それにより、効果的かつ一定の様態で駆動される、というヘッドを規定することを目的とする。
【課題を解決するための手段】
【０００８】
上記目的の達成のために、本発明は、流体ディスペンサ部材の移動可能な中空アクチュエータ兼送出ロッドに装着されるように設計されたディスペンサヘッドであって、前記ヘッドは、前記移動可能なロッドに嵌まるように設計された接続スリーブと、ディスペンサ開口部が形作られたヘッドと、前記接続スリーブをディスペンサ開口部に接続するダクトと、そして、押下面とを有し、当該押下面を押し込めば、中空ロッドをディスペンサ部材に押し入れる形で、ヘッドを軸方向に移動させることができ、ヘッドは更にシャッターを有し、当該シャッターは少なくとも部分的には前記ダクト内に収容され、スプリング手段によって、前記ディスペンサ開口部の方向に、弾性的な形で力を加えられており、前記シャッターは接触ゾーンを有し、当該接触ゾーンは、弾性的な耐漏洩様態でディスペンサ開口部に接することで、当該開口部を密封状態で閉じ、前記シャッターは、スプリング手段に逆らう形で軸方向に移動させることが可能であり、その移動様態は、ディスペンサ開口部から接触ゾーンを引き離し、それによって、充分な圧力が押下面に加えられたタイミングで流体のための出口通路が開けられる、というものであり、特徴となるのは、シャッターが少なくとも１つの受け止めゾーンを有し、当該受け止めゾーンはスプリング手段から弾性的に力を加えられて固定支持ゾーンに押し付けられ、それによって、当該受け止めゾーンがスプリング手段によって生成される背分圧の一部を受け取って、結果、接触ゾーンは一定の限定された力を受けながらディスペンサ開口部に接する状態になる、という点である、というディスペンサヘッドを提供する。
【発明の効果】
【０００９】
こうした構成であるため、ディスペンサ開口部におけるシャッターに対して、背分圧が一定かつ制限されたものとなることが保証される。これは、過剰な背分圧を受け止めゾーンが引き受けることによる。また、受け止めゾーンは、シャッターの移動軸を中心にして対称関係となるように配置された複数の平らな受け面を有し、当該受け面は、関連する平らな支持面に接する状態となること、とするのが効果的である。
【００１０】
実際的な実施の形態では、シャッターは、肩に接続されたプランジャーピンを有し、当該プランジャーピンには自由端が形作られており、当該自由端は、選択的にディスペンサ開口部を閉じるように設計された接触ゾーンを形成しており、肩には支持ゾーンが形作られていること、とする。また、プランジャーピンは、支持ゾーンが規定された入口端部とディスペンサ開口部が規定された出口端部とを有するダクトの出口部分の内部に延びていること、とするのが効果的である。
【００１１】
また、本発明の別の形として、出口部分はガイドスプラインを備える形で形成されており、当該ガイドスプラインは、シャッターの移動軸上にプランジャーピンを保持するために、内向きに突き出していること、とする。プランジャーピンがヘッド内部で詰まる事態が起こりえないだけでなく、プランジャーピンの位置も正確にディスペンサ開口部の中央となる。
【００１２】
さらに別の実際的な形として、ディスペンサヘッドは、本体と、当該本体に密閉様態で接続されたディスペンサエンドピースとを有し、当該エンドピースにはダクトとディスペンサ開口部とが形成されていること、とする。
また、本発明に関する別の特徴として、ディスペンサヘッドは、充分な圧力が押下面に加えられた時点で、シャッターとかみ合う状態になって当該シャッターを動かすように設計された移動カムを更に有し、前記カムは、拡大カムとかみ合う状態となってシャッターの移動を大きくするように設計されていること、とする。また、接続スリーブは、移動カムと一体化された単一の部分として作られており、拡大カムは押下面に固定されていること、とすれば効果的である。
【００１３】
そして、本発明の別の形として、スプリング手段は、弾性変形可能なループの形で、シャッターと一体化した単一の部分として作られていること、とする。また、ディスペンサ開口部および接触ゾーンのうち少なくとも一方は円錐台形状を示すこと、とすれば効果的である。接触は円錐対円錐の形とするのが好ましいが、その場合、２つの円錐は必ずしも同一でなくてもよい。その結果、長く延びた形での円錐台形接触は存在せず、上の部分を切られた形の２つの円錐同士が接する位置において環状にのみ接触する。それに加えて、受け止めゾーンでの接触が面対面の種類であるか、または、少なくとも１つの面がシャッターの移動軸に対して垂直である、という点が効果的である。
【発明を実施するための最良の形態】
【００１４】
本発明に関しては、これ以降の部分で、本発明の実施の形態を非限定的な例として示す添付図面を参照しながら、より詳しく説明していく。
図に示すディスペンサヘッドは、４つの構成要素（すなわち、本体１、接続部品２、ディスペンサエンドピース３、そしてシャッター４）を有する。本実施の形態では、４つの構成要素は別個のものであって、それぞれが別々に分かれているが、異なる実施の形態として、構成要素のいくつかが一体化されて単一の部品の形で作られている、というものを考案することは非常に容易である。例えば、ディスペンサエンドピースと本体とが一体化されて単一の部品として作られている、というものが考えられる。また、接続部品と本体とが一体化されて単一の部品として作られている、という形も考えられる。反対に、構成要素の一部について、当初は別々に分かれた２つ以上の部品から成り、それらが組立の間に装着されたり留められたりして一体になる、という形も考えられる。全ての構成要素（すなわち、部品１乃至４）は、成形プラスチック素材で作ることができる。ただし、これ以外の材料や製造方法が排除されるわけではない。
【００１５】
本体１はスカート１０を有し、当該スカートの形状は一般に円筒形である。本体１は、下側端部では開いているが、上側端部では押下面１１が形作られた壁によって閉じられている。当該押下面は１本又は複数本の指で押下することができるようになっている。さらに、スカート１０には側面開口部が形作られており、当該開口部はディスペンサエンドピース３を収容するためのハウジング１２として働くが、これについては後で説明する。ハウジング１２は、正面側座面１２１とスナップ留めリム１３が形作られた内部壁１２２とを有する。それに加えて、押下面１１は横断ウェブ１４を備えており、当該ウェブは押下面の下側面から下方向に延びている。横断ウェブ１４には、拡大カム１５として働く傾斜面が形成されているが、これについては後で説明する。拡大カム１５は、ハウジング１２から遠ざかる方向に傾斜している。押下面１１にはまた、それがスカート１０とつながる位置に、受け止めハウジング１１０が形成されているが、その機能については後で説明する。それに加えて、スカート１０には、接続部品２を収容するように設計されたスナップ留めハウジング１０１が形成されている。
【００１６】
接続部品２はスナップ留めリング２１を有し、当該リングは、本体１のスカート１０に形成されたハウジング１０１内にスナップ留めされる。接続部品２はさらに接続スリーブ２０を有し、当該スリーブはリング２１の内側に配置されている。接続スリーブ２０は、内部に流体送出チャネルが形作られた中空駆動ロッドの上側端部に力嵌めされる形に設計されている。駆動ロッドは、ポンプや弁などの流体ディスペンサ部材（図示せず）の一体化部品を形成している。接続スリーブ２０の端部にある壁には穴が開けられて、通路２３となっているが、当該通路は、本体の上側部分（押下面１１のすぐ下）に流体が流れ込むことを可能にしている。それに加えて、接続部品２には移動カム２４が形成されており、当該カムには、カム面２４１と拡大エッジ２４２とが見られる。接続スリーブ２０および置換カム２４は、スナップ留めリング２１内でほぼ中心の位置を占めている。スリーブ２０およびカム２４によって形成された組立部品は、実質的に堅いものであり、弾性変形可能な接続部２２をはさんでリング２１に接続されている。弾性変形可能な接続部２２は、連結タブによって作ることができるが、切れ目のない変形可能プレートでも作ることができる。接続部は、リング２１の内側にあって、スリーブ２０の全体を囲む形で延びている。したがって、スリーブ２０およびカム２４は、リング２１の内部で（そして、その結果として、本体１の内部でも）移動させることができる。スリーブおよびカムの移動は、軸方向（すなわち、垂直方向）にも、側面方向（すなわち、径方向）にも可能である。言い換えると、カム２４については、垂直方向に移動させて、押下面１１に対して近づけたり遠ざけたりすることができると共に、正面側から背面側に移動させることもできる。従って、充分な圧力が押下面１１に加えられたタイミングで、スリーブ２０内に嵌まっている駆動ロッドが、スリーブ２０およびカム２４を押下面１１に向かって上方向に移動させることになる。この縦方向の移動は、横断ウェブ１４に形成された拡大カム１５に対して拡大エッジ２４２がスライド接触または摩擦接触する状態になるまでは、厳密に軸方向を保つ。そして、この時点から、移動カム２４は、図１における右手側に向かって横方向に移動させられるようになるが、それと並行して、縦方向上向きへの移動も継続する。従って、拡大カム１５は、置換カム２４のカム面２４１の移動を大きくする。シャッター４に対するカム２４の移動を大きくすることの効果については、後で説明する。
【００１７】
ディスペンサエンドピース３は、スナップ留めによって、本体１のハウジング１２に完全な耐漏洩様態で留められている。ディスペンサエンドピース３は、力を受けて正面側面１２１に接する形となっており、シリンダー１２２の内部にスナップ留めされる密閉スナップ留めスリーブ３０を有する。密閉スナップ留めスリーブ３０はスナップ留めプロフィール３３を有する。当該プロフィールは径方向外向きに突き出しており、ハウジング１２の内側に形成されたスナップ留めエッジ１３の背後に嵌まる形となっている。このような形で、ディスペンサエンドピース３は本体１に確実に保持されており、リム１３および正面側の面１２１は、その本体と耐漏洩接触した状態となっている。ディスペンサエンドピース３には、内部ダクト部分３２が形作られており、当該ダクト部分は、内側の末端（スナップ留めスリーブ３０の環状端部３４によって規定されている所）から、外側の末端（ディスペンサ開口部３１が形成されている所）まで延びている。内部ダクト部分３２にはさらにスプライン３５が形成されているが、これについては、図２を参照するほうがよく分かる。スプライン３５は、後で説明するように、シャッター４のためのガイド手段として働く。加えて、スリーブ３０の端部３４は、後で説明するように、シャッター４のための支持ゾーン又は支持面として働く。
【００１８】
本体１、接続部品２、そしてディスペンサエンドピース３は、入口２３および出口３１を有する内部チャンバ又は内部ダクト１２３を形成している。また、部分３２はダクト１２３の一部を形成している。移動カム２４および拡大カム１５は、ダクト１２３の内部に位置している。
ここに示す例では、シャッター４は完全にダクト１２３の内部に位置している。また、シャッターにはプランジャーピン４０が形成されており、当該ピンは全体または一部がダクト部分３２の中に位置し、肩４４は直接的にプランジャーピン４０に接続されている。シャッターにはさらに、カムウインドウ４５０が設けられたドライブ部分４５とスプリング手段４６、４７とが形成されている。シャッターは、単一の部分として作ることができる点が効果的である。
【００１９】
プランジャーピン４０の目的は、エンドピース３に形成されたディスペンサ開口部３１を選択的に閉じることである。プランジャーピン４０は、正面壁４２が形成された自由末端と接触ゾーン４１とを有し、当該接触ゾーンは、ディスペンサ開口部３１に対して耐漏洩接触の状態となることで、これを密封状態で閉じるように設計されている。プランジャーピン４０は、ほぼ一定の円筒形断面を示すが、その断面の径は、スプライン３５のエッジの内径に比べてわずかに小さいだけであり、そのため、プランジャーピン４０は、非常に限られた隙間しかない状態で、ダクト部分３２の内部を軸方向にガイドされることになる。こうした構成のため、プランジャーピン４０は、ダクト部分３２内部で（さらに、その結果として、ディスペンサ開口部３１において）厳密に中心の位置にくることが確実となる。正面壁４２から離れた方の端部において、プランジャーピン４０は肩４４に接続されており、当該肩には２つの受け面４４０が形作られており、これら受け面は、ディスペンサエンドピース３に形作られた支持ゾーン３４に対して受け接触の状態になるように設計されている。肩４４を越えた位置で、カムウインドウ４５０に嵌まった移動カム２４はシャッターを通過する。カム面２４１には傾斜がつけられており、そのため、カム２４が上向きに移動することで、シャッター４は、図１における左手側から右手側に向かって移動させられることになる。言い換えれば、プランジャーピン４０をディスペンサエンドピース３のさらに奥まで移動させ、それによって、ディスペンサ開口部３１との間の耐漏洩接触を断ち、そうして、圧力の加わった流体を通すための出口通路を生成する。さらに、プランジャーピンの内向きの移動は拡大カム１５によって大きくされ、それによって、カム２４はディスペンサ開口部３１から遠ざかる形で移動させられる。こうした構成により、カム２４を縦方向に限られた距離だけ移動させることで、プランジャーピン４０をエンドピース３内部で充分な長さだけ移動させることができる。カムウインドウ４５０を越えた位置で、シャッター４にはスプリング手段が形成されている。ここでのスプリング手段の形はループ型またはトグル型であり、ハウジング１１０の内側に接するベース４６と、弾力特性を示す２つの揺脚４７とが形成されている。図１および図３に示す休止状態では、弾性を有する脚４７はプレストレスを与えられており、そのため、プランジャーピン４０は、その接触ゾーン４１においてディスペンサ開口部３１に接する一方、ベース４６の位置では反力を受けている。しかし、肩４４もまた支持部３４に受け止められた状態になるので、スプリング手段から加わる圧力は、その全てがプランジャーピン４０の位置に加わることにはならない。すなわち、スプリング手段から加わる圧力の一部は、支持部３４が受け取ることになり、その結果、ディスペンサ開口部３１における背分圧は制限され、安定させられる。ディスペンサ開口部３１および接触ゾーン４１が両方とも、密閉効果を向上させるために、わずかに円錐台形の形状を示すものとなっているため、支持部３４が圧力を引き受けることがなければ、プランジャーピン４０がディスペンサ開口部で詰まってしまう危険がある。受け止めゾーン（または、受け面）４４０、および、支持ゾーン（または、支持面）３４は両方とも、実質的に平らで、シャッター４の移動方向に対して垂直であり、それによって、詰まりや引っかかりが生じる危険を排除している。支持部３４は明白な接触基準位置（bearing reference）を提供しているが、これは、ディスペンサ開口部３１に対するプランジャーピン４０の背分圧を調整し、安定させることを可能とする。
【００２０】
ディスペンサヘッドは、以下に述べるように動作する。先ず、図１に示す休止状態から始まるが、図から見て取れるように、プランジャーピン４０はディスペンサ開口部３１に密閉様態で嵌まっている。押下面１１を押下すれば、接続スリーブ２０内に嵌まった駆動ロッドが、カム２４を上方向かつ押下面１１の方向に移動させる。これにより、移動カム２４は、拡大カム１５と連動して移動機能を実施し、そうすることで、図４に見られるように、ヘッドの内側に向かってプランジャーピン４０を移動させる。これにより、ディスペンサ開口部３１が開かれ、圧力を受けた流体のための出口通路が形成される。当該流体は、駆動ロッドにより、ダクト１２３を通ってディスペンサ開口部３１にまで送り届けられる。押下面１１への圧力を解放すれば、カム２４とスリーブ２０とを、図１に示すような初期の休止状態に戻すことができる。そうすれば、プランジャーピンはその休止位置に戻り、ディスペンサ開口部３１と耐漏洩接触する状態となる。プランジャーピンを前記位置に戻すのはスプリング手段４７である。
【００２１】
本発明の説明のために用いた実施の形態では、シャッターはカムシステムによって移動させられことになっている。だが、シャッターを移動させる手段については、これ以外のものを考えるのは容易であり、たとえば、ダクト１２３内部の流体圧力を用いることなどが考えられる。そうすると、シャッターは、スライドシリンダー内部を密閉様態でスライド移動するピストンを備えた形で形成することができる。本発明の効果的な特性の１つは、スプリング手段から加わる圧力の力の全てがディスペンサ開口部の位置に加わるわけではない、という事実にある。
【図面の簡単な説明】
【００２２】
【図１】本発明のディスペンサヘッドを示す縦断面図である。
【図２】図１つのディスペンサヘッドを示す縦断面図であり、そのディスペンサ開口部を示す図である。
【図３】図１のディスペンサヘッドを上から見た場合の水平断面図である。
【図４】図１と同様の図であり、流体を投与している状態を示す図である。
【図１】
2005528192.tif 000003
【図２】
2005528192.tif 000004
【図３】
2005528192.tif 000005
【図４】
2005528192.tif 000006
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
流体ディスペンサ部材の移動可能な中空アクチュエータ兼送出ロッドに装着されるように設計されたディスペンサヘッドであって、
前記ヘッドは、前記移動可能なロッドに嵌まるように設計された接続スリーブ（２０）と、ディスペンサ開口部（３１）が形作られたヘッドと、前記接続スリーブ（２０）をディスペンサ開口部に接続するダクト（１２３）と、そして、押下面（１１）とを有し、当該押下面を押し込めば、中空ロッドをディスペンサ部材に押し入れる形で、ヘッドを軸方向に移動させることができ、
ヘッドは更にシャッター（４）を有し、当該シャッターは少なくとも部分的には前記ダクト（１２３）内に収容され、スプリング手段（４７）によって、前記ディスペンサ開口部（３１）の方向に、弾性的な形で力を加えられており、
前記シャッター（４）は接触ゾーン（４１）を有し、当該接触ゾーンは、弾性的な耐漏洩様態でディスペンサ開口部（３１）に接することで、当該開口部を密封状態で閉じ、
前記シャッターは、スプリング手段に逆らう形で軸方向に移動させることが可能であり、その移動様態は、ディスペンサ開口部から接触ゾーンを引き離し、それによって、充分な圧力が押下面に加えられたタイミングで流体のための出口通路が開けられる、というものであり、
シャッターが少なくとも１つの受け止めゾーン（４４０）を有し、当該受け止めゾーンはスプリング手段から弾性的に力を加えられて固定支持ゾーン（３４）に押し付けられ、それによって、当該受け止めゾーンがスプリング手段によって生成される背分圧の一部を受け取って、結果、接触ゾーンは一定の限定された力を受けながらディスペンサ開口部に接する状態になる、
特徴となるのは、
ディスペンサ開口部（３１）および接触ゾーン（４１）のうち少なくとも一方は円錐台形状を示すことである、
というディスペンサヘッド。
【請求項２】
受け止めゾーンは、シャッターの移動軸を中心にして対称関係となるように配置された複数の平らな受け面（４４０）を有し、当該受け面（４４０）は、関連する平らな支持面（３４）に接する状態となること、
を特徴とする請求項１に記載のディスペンサヘッド。
【請求項３】
シャッター（４）は、肩（４４）に接続されたプランジャーピン（４０）を有し、
当該プランジャーピンには自由端が形作られており、当該自由端は、選択的にディスペンサ開口部（３１）を閉じるように設計された接触ゾーン（４１）を形成しており、
肩（４４）には支持ゾーン（３４）が形作られていること、
を特徴とする請求項１又は２に記載のディスペンサヘッド。
【請求項４】
プランジャーピン（４０）は、支持ゾーン（３４）が規定された入口端部とディスペンサ開口部（３１）が規定された出口端部とを有するダクトの出口部分（３２）の内部に延びていること、
を特徴とする請求項３に記載のディスペンサヘッド。
【請求項５】
出口部分（３２）はガイドスプライン（３５）を備える形で形成されており、当該ガイドスプラインは、シャッターの移動軸上にプランジャーピン（４０）を保持するために、径方向内向きに突き出していること、
を特徴とする請求項３に記載のディスペンサヘッド。
【請求項６】
本体（１）と、当該本体に密閉様態で接続されたディスペンサエンドピース（３）とを有し、
当該エンドピース（３）にはダクト（３２）とディスペンサ開口部（３１）とが形成さ
れていること、
を特徴とする請求項１乃至５のいずれかに記載のディスペンサヘッド。
【請求項７】
ディスペンサヘッドは、充分な圧力が押下面に加えられた時点で、シャッターとかみ合う状態になって当該シャッターを動かすように設計された移動カム（２４）を更に有し、
前記カムは、拡大カム（１５）とかみ合う状態となってシャッターの移動を大きくするように設計されていること、
を特徴とする請求項１乃至６のいずれかに記載のディスペンサヘッド。
【請求項８】
接続スリーブ（２０）は、移動カム（２４）と一体化された単一の部分として作られており、拡大カムは押下面（１１）に固定されていること、
を特徴とする請求項７に記載のディスペンサヘッド。
【請求項９】
スプリング手段（４７）は、弾性変形可能なループ（４６，４７）の形で、シャッター（４）と一体化した単一の部分として作られていること、
を特徴とする請求項１乃至８のいずれかに記載のディスペンサヘッド。
【国際調査報告】
2005528192.tif 000007
2005528192.tif 000008
2005528192.tif 000009
2005528192.tif 000010